【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】
個別に電力供給およびアクセスが可能な第１のメモリと第２のメモリを用いて、この第１のメモリに格納された第１の画像情報および前記第２のメモリに格納された第２の画像情報を表示装置に表示するよう制御する表示制御方法において、
予め定められた一定時間の間に前記第１及び第２の画像情報が変化しないことを検知するステップと、
この検知ステップにより前記画像情報が変化しないことが検知されると、前記第２のメモリに格納されている前記第２の画像情報を前記第１のメモリに格納されている前記第１の画像情報に追加して格納するステップと、
この格納ステップにより前記第２の画像情報が追加格納されると、前記第２のメモリへの電力供給を停止するステップと、
を有することを特徴とする表示制御方法。
【請求項２】
前記停止ステップによる電力供給の停止後に前記画像情報が変化することを検知するステップと、
この検知ステップにより前記画像情報の変化が検知されると、前記第２のメモリに対して電力供給するステップと、
この電力供給ステップにより前記第２のメモリに電力供給されると、前記第２のメモリに対して前記第１のメモリに格納された前記第２の画像情報をコピーするステップと、
を有することを特徴とする請求項１記載の表示制御方法。
【請求項３】
個別に電力供給およびアクセスが可能な第１のメモリと第２のメモリを用いて、この第１のメモリに格納された第１の画像情報および前記第２のメモリに格納された第２の画像情報を表示装置に表示するよう制御する表示制御方法において、
予め定められた一定時間の間に前記第１及び第２の画像情報が変化しないことを検知するステップと、
この検知ステップにより前記画像情報が変化しないことが検知されると、前記第２のメモリに格納されている前記第２の画像情報を前記第１のメモリに格納されている前記第１の画像情報に追加して格納するステップと、
この格納ステップにより前記第２の画像情報が追加格納されると、前記第２のメモリを自動的に電荷を補充するオートリフレッシュモードに切替えるステップと、
を有することを特徴とする表示制御方法。
【請求項４】
前記切替ステップによるオートリフレッシュモードへの切替え後に前記画像情報が変化することを検知するステップと、
この検知ステップにより前記画像情報の変化が検知されると、前記第２のメモリに対してオートリフレッシュモードから外部の指示に基づいて電荷が補充されるモードに切替えるステップと、
を有することを特徴とする請求項３記載の表示制御方法。
【請求項５】
前記検知ステップにより画像情報が変化しないことが検知されると、予め設定されたメモリの使用に関する内部設定情報を前記第１および第２のメモリの使用から前記第１のメモリの使用に変更するステップを有することを特徴とする請求項１または請求項３のいずれか記載の表示制御方法。
【請求項６】
個別に電力供給およびアクセスが可能な第１のメモリと第２のメモリを有し、この第１のメモリに格納された第１の画像情報および前記第２のメモリに格納された第２の画像情報を表示装置に表示するよう制御する表示制御装置において、
予め定められた一定時間の間に前記第１及び第２の画像情報が変化しないことを検知する検知手段と、
この検知手段によって前記画像情報が変化しないことが検知されると、前記第２のメモリに格納されている前記第２の画像情報を前記第１のメモリに格納されている前記第１の画像情報に追加して格納するコピー手段と、
このコピー手段による前記第２の画像情報の追加コピーがなされると、前記第２のメモリへの電力供給を停止する停止手段と、
を有することを特徴とする表示制御装置。
【請求項７】
前記検知手段によって画像情報が変化すると検知された場合には前記第１及び第２のメモリを用いて画像情報を表示し、前記検知手段によって画像情報が変化しないことが検知された場合には前記第１のメモリを用いて画像情報を表示するよう制御する制御手段、
をさらに具備することを特徴とする請求項６記載の表示制御装置。
【請求項８】
前記検知手段により前記画像情報の変化が検知されると、前記第２のメモリに対して電力供給する供給手段と、
この供給手段により前記第２のメモリに電力供給されると、前記第２のメモリに対して前記第１のメモリに格納された前記第２の画像情報を格納する格納手段と、
を有することを特徴とする請求項６記載の表示制御装置。
【請求項９】
個別に電力供給およびアクセスが可能な第１のメモリと第２のメモリを有し、この第１のメモリに格納された第１の画像情報および前記第２のメモリに格納された第２の画像情報を表示装置に表示するよう制御する表示制御装置において、
予め定められた一定時間の間に前記第１及び第２の画像情報が変化しないことを検知する検知手段と、
前記検知手段によって画像情報が変化しないことが検知されると、前記第２のメモリに格納されている前記第２の画像情報を前記第１のメモリに格納されている前記第１の画像情報に追加して格納するコピー手段と、
このコピー手段による前記第２の画像情報の追加コピーがなされると、前記第２のメモリを自動的に電荷を補充するオートリフレッシュモードに切替える切替手段と、
を有することを特徴とする表示制御装置。
【請求項１０】
前記検知手段によって画像情報が変化すると検知された場合には前記第１及び第２のメモリを用いて画像情報を表示し、前記検知手段によって画像情報が変化しないことが検知された場合には前記第１のメモリを用いて画像情報を表示するよう制御する制御手段と、
をさらに具備することを特徴とする請求項９記載の表示制御装置。
【請求項１１】
前記切替手段は、前記検知手段により前記画像情報の変化が検知されると、前記第２のメモリに対してオートリフレッシュモードから外部の指示に基づいて電荷が補充されるモードに切替えを実行することを特徴とする請求項９記載の表示制御装置。
【請求項１２】
前記検知手段によって画像情報が変化しないことが検知されると、予め設定されたメモリの使用に関する内部設定情報を前記第１および第２のメモリの使用から前記第１のメモリの使用に変更する変更手段を有することを特徴とする請求項６または請求項９のいずれか記載の表示制御装置。
【手続補正２】
【補正対象書類名】明細書
【補正対象項目名】０００９
【補正方法】変更
【補正の内容】
【０００９】
上記目的を達成するために、本発明の表示制御装置は、個別に電力供給およびアクセスが可能な第１のメモリと第２のメモリを有し、この第１のメモリに格納された第１の画像情報および前記第２のメモリに格納された第２の画像情報を表示装置に表示するよう制御する表示制御装置において、予め定められた一定時間の間に前記第１及び第２の画像情報が変化しないことを検知する検知手段と、この検知手段によって前記画像情報が変化しないことが検知されると、前記第２のメモリに格納されている前記第２の画像情報を前記第１のメモリに格納されている前記第１の画像情報に追加して格納するコピー手段と、このコピー手段による前記第２の画像情報の追加コピーがなされると、前記第２のメモリへの電力供給を停止する停止手段と、を有することを特徴とする
【手続補正３】
【補正対象書類名】明細書
【補正対象項目名】００１０
【補正方法】変更
【補正の内容】
【００１０】
上記目的を達成するために、本発明の表示制御装置は、個別に電力供給およびアクセスが可能な第１のメモリと第２のメモリを有し、この第１のメモリに格納された第１の画像情報および前記第２のメモリに格納された第２の画像情報を表示装置に表示するよう制御する表示制御装置において、予め定められた一定時間の間に前記第１及び第２の画像情報が変化しないことを検知する検知手段と、前記検知手段によって画像情報が変化しないことが検知されると、前記第２のメモリに格納されている前記第２の画像情報を前記第１のメモリに格納されている前記第１の画像情報に追加して格納するコピー手段と、このコピー手段による前記第２の画像情報の追加コピーがなされると、前記第２のメモリを自動的に電荷を補充するオートリフレッシュモードに切替える切替手段と、を有することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】